(57)【特許請求の範囲】
【請求項１】
複数の画素が列状に配列される水平ラインをＭ段備える受光部と、前記Ｍ段の水平ラインのうち一番外側に位置する水平ラインの一方の水平ラインに隣接して平行に設けられ前記複数の画素に蓄積される信号電荷を前記水平ライン単位で出力する水平転送部とを備える単相駆動のバーチャルフェーズＣＣＤを撮像素子として用いた電子内視鏡において、
露光期間中に前記各水平ラインの各画素に蓄積された信号電荷を、前記水平ラインを単位として前記水平転送部方向へ順次１段ずつ転送するとともに前記水平転送部に隣接する水平ラインに保持された信号電荷を前記水平転送部へ転送する垂直転送手段と、
前記垂直転送手段により前記水平転送部へ転送された１水平ライン分の信号電荷を、前記垂直転送手段により次の水平ラインが転送されてくる前に前記ＣＣＤの外部へと出力する水平転送手段とを備え、
前記垂直転送手段が、前記ＣＣＤが露光されない遮光期間中に少なくとも（Ｍ＋１）段以上の水平ラインの転送を行う
ことを特徴とする電子内視鏡用ＣＣＤ駆動装置。
【請求項２】
前記垂直転送手段が垂直駆動パルスにより駆動され、前記垂直駆動パルスのパルス数が前記水平ラインの転送される段数に対応していることを特徴とする請求項１に記載の電子内視鏡用ＣＣＤ駆動装置。
【請求項３】
前記垂直転送手段が、前記遮光期間中に少なくとも（Ｍ＋１）段の転送を行うことを特徴とする請求項１に記載の電子内視鏡用ＣＣＤ駆動装置。
【発明の詳細な説明】
【０００１】
【発明の属する技術分野】
本発明は、電子内視鏡に搭載されたＣＣＤの駆動装置及び駆動方法に関する。
【０００２】
【従来の技術】
近年では、電子内視鏡に搭載されるＣＣＤとしてインターライン方式や、フレーム転送方式も多く用いられているが、小型・細径化された挿入部を要求される電子内視鏡では、電極や信号線の数が少なくてすむ単相駆動のＶＰＣＣＤ（virtual phase charged coupled device）を用いることが望ましい。
【０００３】
【発明が解決しようとする課題】
しかし、製造工程での処理条件のばらつきなどにより、電極が設けられるクロックドフェーズ（clocked phase）部と電極が設けられないバーチャルフェーズ（virtual phase）部の電荷蓄積井戸の容量にばらつきが生じる。クロックフェーズ部とバーチャルフェーズ部との間において電荷蓄積井戸の容量のバランスが悪いと、受光量が多く過剰電荷が発生している場合、水平転送部から最も離れた水平ラインから溢れ出た過剰電荷が、１画像分の出力が終了したのち水平転送部に隣接する水平ラインに残留電荷として取り残される。取り残された残留電荷は、次の露光期間には撮像される画像の信号電荷に混入し画像不良を起こす。
【０００４】
本発明は、上記問題に鑑みてなされたものであり、ＶＰＣＣＤを用いた電子内視鏡において、常に良好な画像を得ることを目的としている。
【０００５】
【課題を解決するための手段】
本発明の電子内視鏡用ＣＣＤ駆動装置は、複数の画素が列状に配列される水平ラインをＭ段備える受光部と、Ｍ段の水平ラインのうち一番外側に位置する水平ラインの一方の水平ラインに隣接して平行に設けられ、これら複数の画素に蓄積される信号電荷を水平ライン単位で出力する水平転送部とを備える単相駆動のバーチャルフェーズＣＣＤを撮像素子として用いた電子内視鏡において用いられ、露光期間中に各水平ラインの各画素に蓄積された信号電荷を、水平ラインを単位として水平転送部方向へ順次１段ずつ転送するとともに水平転送部に隣接する水平ラインに保持された信号電荷を水平転送部へ転送する垂直転送手段と、垂直転送手段により水平転送部へ転送された１水平ライン分の信号電荷を、垂直転送手段により次の水平ラインが転送されてくる前にＣＣＤの外部へと出力する水平転送手段とを備え、垂直転送手段が、ＣＣＤが露光されない遮光期間中に少なくとも（Ｍ＋１）段以上の水平ラインの転送を行うことを特徴としている。
【０００６】
垂直転送手段は好ましくは、垂直駆動パルスにより駆動され、垂直駆動パルスのパルス数が水平ラインの転送される段数に対応している。また、垂直転送手段は、遮光期間中に（Ｍ＋１）段の転送を行うときに最も転送期間を短くすることができる。
【０００７】
【発明の実施の形態】
以下、本発明の実施の形態を、図面を参照して説明する。
図１は、本発明の一実施形態である電子内視鏡システムの回路構成を概略示すブロック図である。
【０００８】
本実施形態の電子内視鏡システムは、電子内視鏡（電子スコープ）１０、映像信号処理装置２７、ＴＶモニタ２８から概略なる。電子内視鏡１０は、映像信号処理装置（以後プロセッサと呼ぶ）２７に着脱自在に接続され、ＴＶモニタ２８はビデオ信号用のケーブルを介してプロセッサ２７のビデオ出力端子に接続される。なお本実施形態では、周辺装置としてＴＶモニタ２８のみが示されているが、例えばビデオプリンタやＶＣＲ、コンピュータ等の周辺装置が同時に接続されていてもよい。
【０００９】
電子内視鏡１０は、細長で可撓性の挿入部１１、電子内視鏡の操作を行うための操作部１２、可撓性を有する連結部１３、及びプロセッサ２７との接続を行うためのコネクタ部２０とからなる。挿入部１１の先端には単相駆動式のＶＰＣＣＤ１４が設けられている。ＶＰＣＣＤ１４は、コネクタ部２０内に設けられたＣＣＤドライバ２４から出力されるＣＣＤ駆動パルスにより駆動制御され、ＣＣＤドライバ２４は、タイミングコントロール回路２５から出力されるクロックパルスに基づいて駆動される。
【００１０】
電子内視鏡１０は例えば面順次方式で撮像を行い、挿入部１１の先端からは、Ｒ（赤）、Ｇ（緑）、Ｂ（青）の照明光が時系列に順次断続的に射出される。ＣＣＤ１４では、照射されたＲＧＢの照明光に合わせて、ＲＧＢの各色毎に対応したモノクロの画像がアナログの画像信号として検出される。この画像信号は、信号ケーブルを介して電子内視鏡１０のコネクタ部２０に送られ前段処理回路２１に入力される。前段処理回路２１では、ＣＣＤ１４からの画像信号が適切な信号レベルに増幅されるとともに、サンプルホールド、ブランキング、クランプ、ホワイトバランス、ガンマ補正等の信号処理が施され、デジタルの画像信号に変換される。デジタルの画像信号は、ＲＧＢ毎にモノクロの画像としてそれぞれ画像メモリ２２ｒ、２２ｇ、２２ｂに出力され順次一時的に記憶される。画像メモリ２２ｒ、２２ｇ、２２ｂにＲＧＢの画像が１組揃うと、これらは後段処理回路２３に同時化されて出力される。後段処理回路２３では、デジタルの画像信号がアナログ信号に変換されるとともに増幅、クランプ、ブランキング処理を施され、例えば輝度信号Ｙ、色信号Ｃに変換される。この輝度信号色信号Ｙ／Ｃはプロセッサ２７を介してＴＶモニタ２８に出力される。前段処理回路２１、フィールドメモリ２２ｒ、２２ｇ、２２ｂ、後段処理回路２３は、タイミングコントロール回路２５からのパルス信号に基づきシステムコントロール回路２６により制御される。なおタイミングコントロール回路２５の駆動はシステムコントロール回路２６によって制御される。
【００１１】
挿入部１１の先端から照射されるＲＧＢの光は、電子内視鏡１０内に設けられた超極細の光ファイバーの束からなるライトガイド（図示せず）を介して、プロセッサ２７に設けられたランプ（図示せず）から供給されるが、本図においてプロセッサ２７に設けられたランプや電子内視鏡１０に設けられたライトガイドは省略されている。なおランプは例えばキセノンやハロゲンランプなどの白色光源であり、従来公知の回転円盤状の色分解フィルタによりＲ光、Ｇ光、Ｂ光に分解され、ＲＧＢの照明光として挿入部１１の先端部から順次時系列に照射される。
なお、ＲからＧ、ＧからＢ、ＢからＲへ照明光が交代する間には、所定の時間照明光が照射されない遮光期間があり、ＲＧＢの照明光は、ＲＧＢの順で時系列に間断的に照射される。
【００１２】
電子内視鏡１０の後段処理回路２３から出力され、プロセッサ２７に入力された映像信号には、従来公知の映像信号処理が行われる。プロセッサ２７において各種信号処理が行われた映像信号は輝度信号Ｙ、色信号Ｃとして同期信号とともにＴＶモニタ２８に出力される。
【００１３】
図２は、本実施形態で用いられる単相駆動ＶＰＣＣＤ１４の平面的な構造を模式的に示す図である。
【００１４】
ＶＰＣＣＤ１４の受光部３０は、２次元格子状に（例えば垂直方向にＭ段、水平方向にＮ列）配列された多数の画素３０ｐから構成され、受光部３０の最下段には遮光された水平転送部３１が隣接して設けられている（なお、受光部３０のうち水平転送部３１に略平行に並ぶ画素３０ｐの１段分の画素群を水平ライン、水平転送部３１に略垂直に並ぶ画素３０ｐの１列分の画素群を垂直ラインと以後呼ぶ）。受光部３０は垂直転送部も兼ねているため、露光期間中に受光部３０の各画素３０ｐにおいて生成・蓄積された信号電荷は、遮光期間中に垂直駆動パルスφｐにより１水平ラインずつ順次水平転送部３１側へ転送され水平転送部３１及びＦＤＡ（フローティングディフュージョンアンプ）３２を介して１水平ライン毎にＶＰＣＣＤ１４の外部へ出力される。なお水平転送部３１での水平方向（図中左側）への信号電荷の転送動作は、水平駆動パルスφｓにより行われる。
【００１５】
図３（ａ）、（ｂ）は垂直駆動パルスφｐと水平駆動パルスφｓのタイミングチャートであり、図４は図１に示されたタイミングコントロール回路２５の中で垂直駆動パルスφｐ及び水平駆動パルスφｓの出力に係る部分の一例を示すブロック図である。図３、図４を参照して、本実施形態における垂直駆動パルスφｐと水平駆動パルスφｓとの基本的な出力動作について説明する。なお、図３（ｂ）は図３（ａ）の区間ＡＢを拡大したものである。
【００１６】
図３（ａ）に示されるように、水平駆動パルスφｓは図３（ｂ）に示される所定のタイミングで常時出力されている。これに対して、垂直駆動パルスφｐは、転送期間にのみ出力され、蓄積期間には出力されない。蓄積期間は、ＶＰＣＣＤ１４が露光され、各画素３０ｐにおいて受光量に対応する信号電荷が蓄積される期間であり、露光期間に等しい。転送期間は、２つの蓄積期間（露光期間）に挟まれる期間であり、ＶＰＣＣＤ１４において光が受光されない遮光期間に含まれる。受光部３０の各画素に蓄積された被写体像に対応する信号電荷は、１つの転送期間中に垂直転送・水平転送されＶＰＣＣＤ１４の外部へと出力される。転送期間中、垂直駆動パルスφｐは図３（ｂ）に示されるように水平駆動パルスφｓが所定の回数（Ｎ回）出力される毎に出力される。この回数Ｎは、受光部３０に配列された画素３０ｐの垂直ライン数Ｎに等しく、これにより水平転送部３１に転送された１水平ライン分の信号電荷が全てＦＤＡ３２を介して出力される。例えば垂直駆動パルスＳ１が出力されると、受光部３０の各水平ラインに保持された信号電荷が１水平ライン分下方へシフトされ、最下段の信号電荷は水平転送部３１に転送される。その後、水平駆動パルスφｓがＮ回出力され、水平転送部３１に保持された１水平ライン分の信号電荷が順次ＦＤＡ３２を介してＶＰＣＣＤ１４の外部に出力される。Ｎ回にわたる水平駆動パルスφｓの出力が終了すると、垂直駆動パルスＳ２が出力され再び受光部３０の各水平ラインに保持された信号電荷が１水平ライン分下方へシフトされる。このとき最下段の水平ラインに保持されていた信号電荷は水平転送部３１に転送される。この転送動作は、受光部３０が遮光された転送期間中繰り返し行われ、受光部３０の各画素３０ｐに蓄積された信号電荷は、水平ライン単位で全てＶＰＣＣＤ１４の外部へ出力される。
【００１７】
垂直駆動パルスφｐ、水平駆動パルスφｓはＣＣＤドライバ２４から出力され、その出力のタイミングはタイミングコントロール回路２５からの垂直転送クロックφｋｐ及び水平転送クロックφｋｓに基づいて制御される。垂直転送クロックφｋｐ、水平転送クロックφｋｓは、クロック信号ＣＬＫ、水平同期信号ＨＤ、垂直同期信号ＶＤに基づいて、φｐタイミング発生回路３５、φｓタイミング発生回路３６においてそれぞれ生成される。なお、クロック信号ＣＬＫ、水平同期信号ＨＤ、垂直同期信号ＶＤは、例えばタイミングコントロール回路２５内で生成される。
【００１８】
図５（ａ）、（ｂ）、（ｃ）は、受光部３０の垂直ラインに沿った断面の一部を概念的に示す図である。図５（ａ）、（ｂ）、（ｃ）を参照して、単相駆動のＶＰＣＣＤ１４における垂直転送動作について説明する。
【００１９】
ＶＰＣＣＤ１４は、単相の電極（例えば透明電極）４１が設けられたクロックドフェーズ部Ａｃと電極が設けられていないバーチャルフェーズ部Ａｖより構成され、各部は更に障壁部Ａｃｂ、Ａｖｂと井戸部Ａｃｗ、Ａｖｗとから構成される。基板４０の各部には井戸部Ａｃｗに対し障壁部Ａｃｂが階段状のポテンシャル障壁を作るように、井戸部Ａｖｗに対し障壁部Ａｖｂが階段状のポテンシャル障壁を作るようにイオンが注入されている。例えば、蓄積期間（露光期間）において基板には図５（ａ）の実線Ｌ０で示されようなポテンシャルが形成される。すなわち、蓄積期間において垂直駆動パルスφｐにＬ（ロー）レベルの信号電圧が印加されることにより、井戸部Ａｃｗ、Ａｖｗには、ポテンシャル▲１▼、▲２▼、▲３▼、▲４▼がそれぞれ形成され、生成された電荷はこれらのポテンシャルのうちの井戸▲２▼、▲４▼に蓄積される
【００２０】
転送期間中、垂直駆動パルスφｐには、Ｈ（ハイ）レベルの信号電圧とＬ（ロー）レベルの信号電圧とが交互に印加される。すなわち、転送期間におけるクロックドフェーズ部Ａｃには、破線Ｌ１で表されるポテンシャルレベルと、破線Ｌ２で表されるポテンシャルレベルが交互に形成される。これを繰り返すことによりポテンシャルの井戸▲２▼、▲４▼に蓄積された信号電荷は図中右手方向（水平転送部３１側）へ転送される。
【００２１】
例えば図５（ｂ）に示されるように、垂直駆動パルスφｐとしてＨレベルの信号電圧が電極４１に印加されると、▲１▼、▲３▼のポテンシャルレベルが破線Ｌ１レベルに降下するため、より深い井戸▲１▼’、▲３▼’が形成され、図５（ａ）において井戸▲２▼に蓄積されていた信号電荷は、それぞれ右隣のクロックドフェーズ部Ａｃに形成された井戸▲３▼’に移動する。同様に井戸▲４▼に蓄積されていた信号電荷は、右隣のクロックドフェーズ部Ａｃに形成されるより深い井戸に移動し、井戸▲１▼’には左隣のバーチャルフェーズ部Ａｖの井戸部Ａｖｗから信号電荷が移動してくる。次に、図５（ｃ）に示されるように、垂直転送パルスφｐとしてＬレベルの信号電圧が電極４１に印加されると、井戸▲１▼'、▲３▼'のポテンシャルレベルが破線Ｌ２レベルに上昇するため、図５（ｂ）において井戸▲１▼’、▲３▼’に転送・蓄積された信号電荷は、ポテンシャル▲１▼''、▲３▼''から井戸▲２▼、▲４▼にそれぞれ移動する。以上のように電極４１にＨ、Ｌのレベルの信号電圧を繰り返し印加するタイミング制御を行うことにより各画素に蓄積された信号電荷は、順次図中右手方向（水平転送部３１側）に転送される。上述の説明では、１つの垂直ラインを例にとり垂直転送動作の原理を説明したが、これらは受光部３０全ての垂直ラインにおいて同時に同一のタイミング制御が行われる。すなわち、１つの水平ライン上に蓄積された信号電荷は、同一水平ラインを保ちながら順次水平転送部３１側へ転送される。なお、ここで１つの画素３０ｐは、隣接する１組のクロックドフェーズ部Ａｃとバーチャルフェーズ部Ａｖとからなり、図５において例えば井戸▲２▼に蓄積される信号電荷は、１つの画素３０ｐの信号電荷となる。
【００２２】
上述の垂直転送動作は、従来１転送期間中に受光部３０の全水平ライン分（Ｍ段分）しか行われない。すなわち、従来の垂直転送動作では、蓄積期間に図２の最上段の水平ラインに蓄積された信号電荷が水平転送部３１に転送されると垂直転送動作は終了する。しかし、単相駆動のＶＰＣＣＤを用いた電子内視鏡システムにおいてこのような垂直転送動作を行うと、以下図６（ａ）、（ｂ）、（ｃ）、図７、図８を参照して説明するような画像不良が生じることがある。
【００２３】
図６（ａ）、（ｂ）、（ｃ）は、図５と同様に、垂直ラインに沿った基板４０の断面の一部を概念的に表した図である。ただし、図６では、受光部３０の最上段の水平ライン（図中左端）を含んだ部分を示している。図６（ａ）には、蓄積期間において信号電荷（斜線部Ｅ２、Ｅ４）がバーチャルフェーズ部Ａｖの井戸部Ａｖｗ（斜線部Ｅ２１、Ｅ４１に対応）および障壁部Ａｖｂ（斜線部Ｅ２２、Ｅ４２に対応）に蓄積された様子が示されている。このようにバーチャルフェーズ部Ａｖの井戸部Ａｖｗだけでなく障壁部Ａｖｂまで信号電荷の蓄積が行われてしまう状態は、例えば受光部３０の上方部における受光量が大きいときに生じる。
【００２４】
次に電極４１にＨレベルの信号電圧が印加されて転送期間に移行して、図６（ｃ）に示されるポテンシャル状態となると、図６（ａ）においてバーチャルフェーズ部Ａｖに保持され斜線部Ｅ２、Ｅ４で示された信号電荷の大部分は、右隣のクロックドフェーズ部Ａｃに移動される（斜線部Ｅ３’、Ｅ５’で示される）。しかし、図６（ａ）の状態から図６（ｃ）の状態に移る過程の１局面を表した図６（ｂ）に示したように、転送の過程において、斜線部Ｅ２２’で示される信号電荷の一部は、左隣のクロックフェーズ部Ａｃに移動してしまい（斜線部Ｅｒ）残留電荷となる。この斜線部Ｅｒで示される残留電荷は、その後の垂直転送動作により順次左の方向（水平転送部の方向）へ移動され、垂直転送動作が終了したときには、受光部３０の最下段の水平ライン上に保持されることとなる。したがって、この垂直転送動作に続く蓄積期間において、受光部３０における最下段の水平ラインの画素では、受光により生成される信号電荷に、上述の残留電荷が混入することとなる。すなわち、単相駆動のＶＰＣＣＤを用いてビデオ撮影を行なう場合に、このような残留電荷（Ｅｒ）が生じると、受光部３０の最下段の水平ラインに対応する画像には、前画面の最上段の水平ラインに対応する画像がオーバーラップして表示されることとなる。
【００２５】
次に、図７、図８を参照して、上述の残留電荷ＥｒがＴＶモニタの画像表示に従来及ぼしてきた影響について説明する。図７は、通常のビデオカメラで撮影した映像をＴＶモニタに表示した場合を示し、図８は、電子内視鏡で撮像した映像をＴＶモニタに表示した場合を示している。
【００２６】
図７、８において、矩形５０はＴＶモニタでの画像表示領域を表しており、矩形５１、５２は、それぞれ通常のビデオカメラのＣＣＤ、及び電子内視鏡のＣＣＤ（ＶＰＣＣＤ）で撮像される画像の有効領域を表している。すなわち、通常のビデオカメラに搭載されたＣＣＤでは、矩形５１で示される領域の画像が検出されるが、ＴＶモニタの画像表示領域（矩形５０）には検出された画像の一部（矩形５１のうち矩形５０に囲まれる領域）のみが表示される。一方、電子内視鏡のＣＣＤは通常のビデオカメラに比べて小型であり画素数が少ないため、電子内視鏡のＣＣＤで検出された矩形５２に示される領域の画像は、その全てがＴＶモニタの画像表示領域（矩形５０）に表示される。なお、ＴＶモニタの画像表示領域（矩形５０）のうち矩形５２の外側の領域には、例えば黒レベルの映像信号が出力されている。
【００２７】
図７、８の矩形５１、５２のうち斜線が施された領域５１ａ、５２ａは、画面上で輝度が相対的に低く暗い領域を示しており、斜線が施されていない領域５１ｂ、５２ｂは、画面上で輝度が相対的に高く明るい領域を示している。また矩形５１、５２のうち斜線が施されていない領域５１ｃ、５２ｃはそれぞれ、矩形５１、５２で示される画像のうち最上段の水平ラインに対応する領域を示している。ＴＶモニタに表示される画像の向きは、ＣＣＤの撮像面における画像の向きとは反対なので、領域５１ｃ、５２ｃに表示される画像は、図２に示される受光部３０の最下段の水平ラインで検出される画像に対応している。図６（ａ）、（ｂ）、（ｃ）を参照して説明したように、受光部３０の上寄りの画素での受光量が多く、信号電荷に溢れが生じると、最下段の水平ラインで検出される信号電荷には、前画面の最上段の水平ラインで検出された過剰な信号電荷による残留電荷（Ｅｒ）が混入する。すなわち、上述の残留電荷（Ｅｒ）が生じるような条件のもとでは、ＣＣＤで検出され矩形５１、５２で示される画像における最下段の１水平ライン分の画像が、次の画像での最上段１水平ライン分の画像に重畳される。
【００２８】
図７、８に示されるように、矩形５１、５２で示される画像のうち上寄りの領域が、斜線が施された領域５１ａ、５２ａのように暗い場合、最上段の水平ラインの画像が残留電荷（Ｅｒ）のために不連続に明るい画像となる。通常のビデオカメラの場合には、図７のように領域５１ｃは画像表示領域（矩形５０）に表示されないので何ら問題がないが、電子内視鏡の場合、図８に示すように、領域５２ｃも画像表示領域（矩形５０）に表示されるため、この領域が不連続な明るい線として現れ画像不良を起こす。
【００２９】
次に図９を参照して、本実施形態において、上記不良画像を防止するために行なわれる残留電荷掃出動作について説明する。図９は、本実施形態における水平駆動パルスφｓ、垂直駆動パルスφｐの出力タイミングを示すタイミングチャートである。
【００３０】
図９は、図３（ａ）の区間ＣＤを拡大して示したものである。ただし、垂直駆動パルスφｐに対する水平駆動パルスφｓのタイミングは概念的なものであり正確なものではない。すなわち、図３（ｂ）の垂直駆動パルスＳ１、Ｓ２は、図９に示されたＳ１、Ｓ２に例えば対応し、これらの間には図３（ｂ）に示されるようにＮ個の水平駆動パルスφｓが存在する。ＶＰＣＣＤ１４の受光部３０にＭ段の水平ラインがあるとき、全ての水平ラインをＶＰＣＣＤ１４から出力するには、Ｍ個のパルスを垂直駆動パルスφｐとして出力すれば十分である。したがって垂直駆動パルスφｐは、従来受光部３０の水平ライン数分（Ｍ回）しか出力されなかった。しかし、このような方法では、上述したような画像不良が生じてしまうので、本実施形態では、Ｍ個のパルスを垂直駆動パルスφｐとして出力した後に、更にパルスＳＥを垂直転送パルスφｐとして転送期間内に出力する。これにより、受光部３０の最下段の水平ラインに保持された残留電荷（Ｅｒ）は、水平転送部３１へ転送される。水平転送部３１へ転送された残留電荷（Ｅｒ）は、常時出力されている水平駆動パルスφｓによりＶＰＣＣＤ１４の外部へと出力される。なお、パルスＳＥは、φｐタイミング発生回路３５から出力される垂直転送クロックφｋｐのパルス数をＭ＋１に設定することにより行なわれる。また、本実施形態では、残留電荷を掃き出すために出力されたパルスＳＥは１回であったが、遮光期間（転送期間）内であれば何回出力してもよい。
【００３１】
なお本発明は上記実地例に限定されるものでなく、ＣＣＤにカラーフィルターを用いた同時撮像方式の電子内視鏡においても有効であり、ＣＣＤの転送方式に関しても限定されるものでない。
【００３２】
【発明の効果】
以上のように、本発明によれば、ＶＰＣＣＤを用いた電子内視鏡において、常に良好な画像が得られる。
【図面の簡単な説明】
【図１】本発明の一実施形態である電子内視鏡システムの回路構成を概略示すブロック図である。
【図２】本実施形態で用いられる従来公知のＶＰＣＣＤの構造を模式的に示す平面図である。
【図３】ＶＰＣＣＤを駆動する垂直駆動パルスと水平駆動パルスの出力タイミングを示すタイミングチャートである。
【図４】垂直駆動パルスと水平駆動パルスの出力に係るタイミングコントロール回路の構成の一部を示すブロック図である。
【図５】単相駆動のＶＰＣＣＤの垂直転送原理を説明するための図である。
【図６】単相駆動のＶＰＣＣＤにおいて、最上段の水平ラインから溢れた信号電荷が垂直転送時に残留する原因を説明する図である。
【図７】通常のビデオカメラで撮影された画像をＴＶモニタに表示したときの検出画像と表示画像との関係を示す図である。
【図８】電子内視鏡で撮影された画像をＴＶモニタに表示したときの検出画像と表示画像との関係を示す図である。
【図９】図３（ａ）の区間ＣＤを拡大して示したものであり、本実施形態における垂直駆動パルスφｐのタイミングチャートである。
【符号の説明】
１４  ＶＰＣＣＤ
２４  ＣＣＤドライバ
２５  タイミングコントロール回路
３０  受光部
３０ｐ  画素
３１  水平転送部
【図１】
0004634645.tif 000002
【図２】
0004634645.tif 000003
【図３】
0004634645.tif 000004
【図４】
0004634645.tif 000005
【図５】
0004634645.tif 000006
【図６】
0004634645.tif 000007
【図７】
0004634645.tif 000008
【図８】
0004634645.tif 000009
【図９】
0004634645.tif 000010